【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
デバイスが、音場の明瞭な成分を表すベクトルの係数の０ではないセットを取得すること、前記ベクトルは、前記音場を記述する複数の球面調和係数から分解されている、と、
前記デバイスが、複数の構成モードのうちの１つに従って前記ベクトルの係数の前記０ではないセットを抽出する際に用いる、前記複数の構成モードのうちの前記１つを取得すること、前記複数の構成モードのうちの前記１つは、前記係数の前記０ではないセットが前記係数のすべてを含むことを示す、と、
前記デバイスが、前記複数の構成モードのうちの前記取得された１つに基づいて、前記ベクトルの前記係数の前記０ではないセットを抽出することと
を備える、方法。
【請求項２】
前記係数の前記０ではないセットを前記ベクトルの第１の部分として抽出することをさらに備える、
請求項１に記載の方法。
【請求項３】
前記ベクトルの係数の前記０ではないセットをサイドチャネル情報から抽出することと、
前記ベクトルの前記係数の前記０ではないセットに基づいて、前記複数の球面調和係数の再合成されたバージョンを取得することと
をさらに備える、請求項１に記載の方法。
【請求項４】
前記ベクトルが、線形分解を使用して前記複数の球面調和係数から分解されたベクトルを備える、
請求項１に記載の方法。
【請求項５】
前記線形分解は、特異値分解を備える、
請求項４に記載の方法。
【請求項６】
係数の前記０ではないセットは、前記音場の第１の明瞭な成分を表す第１のベクトルの係数の第１の０ではないセットであり、前記方法はさらに、
前記音場の第２の明瞭な成分を表す第２のベクトルの係数の第２の０ではないセットを取得すること、前記第２のベクトルは、前記音場を記述する第２の複数の球面調和係数から線形的に分解されている、と、
第２の複数の構成モードのうちの１つに従って前記第２のベクトルの係数の前記第２の０ではないセットを抽出する際に用いる、前記第２の複数の構成モードのうちの前記１つを取得すること、前記第２の複数の構成モードのうちの前記１つは、係数の前記第２の０ではないセットが前記係数のうちで、前記第２の複数の球面調和係数の１つまたは複数が対応する基底関数の次数よりも大きい次数に対応するものを含むことを示す、と、
前記第２の複数の構成モードのうちの前記取得された１つに基づいて、前記第２のベクトルの前記係数の前記第２の０ではないセットを抽出することと
を備える、請求項１に記載の方法。
【請求項７】
係数の前記０ではないセットは、前記音場の第１の明瞭な成分を表す第１のベクトルの係数の第１の０ではないセットであり、前記方法はさらに、
前記音場の第２の明瞭な成分を表す第２のベクトルの係数の第２の０ではないセットを取得すること、前記第２のベクトルは、前記音場を記述する第２の複数の球面調和係数から線形的に分解されている、と、
第２の複数の構成モードのうちの１つに従って前記第２のベクトルの係数の前記第２の０ではないセットを抽出する際に用いる、前記第２の複数の構成モードのうちの前記１つを取得すること、前記第２の複数の構成モードのうちの前記１つは、係数の前記第２の０ではないセットが前記係数のうちで、前記第２の複数の球面調和係数の１つまたは複数が対応する基底関数の次数よりも大きい次数に対応するものを含み、前記第２の複数の球面調和係数の前記１つまたは複数が対応する前記基底関数の前記次数よりも大きい次数に対応する前記係数の少なくとも１つを含まないことを示す、と、
前記第２の複数の構成モードのうちの前記取得された１つに基づいて、前記第２のベクトルの前記係数の前記第２の０ではないセットを抽出することと
を備える、請求項１に記載の方法。
【請求項８】
係数の前記０ではないセットは、前記音場の第１の明瞭な成分を表す第１のベクトルの係数の第１の０ではないセットであり、前記方法はさらに、
前記音場の第２の明瞭な成分を表す第２のベクトルの係数の第２の０ではないセットを取得すること、前記第２のベクトルは、前記音場を記述する第２の複数の球面調和係数から線形的に分解されている、と、
第２の複数の構成モードのうちの１つに従って前記ベクトルの係数の前記第２の０ではないセットを抽出する際に用いる、前記第２の複数の構成モードのうちの前記１つを取得すること、前記第２の複数の構成モードの前記１つは、係数の前記第２の０ではないセットが前記係数の少なくとも１つを除き、前記係数のすべてを含むことを示す、と、
前記第２の複数の構成モードのうちの前記取得された１つに基づいて、前記第２のベクトルの前記係数の前記第２の０ではないセットを抽出することと
を備える、請求項１に記載の方法。
【請求項９】
前記複数の構成モードの前記１つを取得することは、ビットストリームにおいてシグナリングされる値に基づいて前記複数の構成モードの前記１つを取得することを備える、
請求項１に記載の方法。
【請求項１０】
前記複数の球面調和係数の前記再合成されたバージョンに基づいて、１つまたは複数のラウドスピーカーフィードをレンダリングすることと、
１つまたは複数のラウドスピーカーを駆動するために、前記１つまたは複数のラウドスピーカーフィードを出力することと
をさらに備える、請求項３に記載の方法。
【請求項１１】
音場の明瞭な成分を表すベクトルの係数の０ではないセットを取得すること、前記ベクトルは、前記音場を記述する複数の球面調和係数から線形的に分解されている、と、
複数の構成モードのうちの１つに従って前記ベクトルの係数の前記０ではないセットを抽出する際に用いる、前記複数の構成モードのうちの前記１つを取得すること、前記複数の構成モードのうちの前記１つは、前記係数の前記０ではないセットが前記係数のすべてを含むことを示す、と、
前記複数の構成モードのうちの前記取得された１つに基づいて、前記ベクトルの前記係数の前記０ではないセットを抽出することと
を行うように構成される１つまたは複数のプロセッサと、
前記１つまたは複数のプロセッサに結合されたメモリ、前記メモリは、前記ベクトルの前記係数の前記抽出された０ではないセットを記憶するように構成される、と、
を備える、デバイス。
【請求項１２】
前記１つまたは複数のプロセッサは、前記係数の第１の０ではないセットを前記ベクトルの第１の部分として抽出することを行うようにさらに構成される、
請求項１１に記載のデバイス。
【請求項１３】
前記１つまたは複数のプロセッサは、前記ベクトルの係数の前記０ではないセットをサイドチャネル情報から抽出することと、前記ベクトルの前記係数の前記０ではないセットに基づいて、前記複数の球面調和係数の再合成されたバージョンを取得することとを行うようにさらに構成される、
請求項１１に記載のデバイス。
【請求項１４】
前記ベクトルが、線形分解を使用して前記複数の球面調和係数から分解されたベクトルを備える、
請求項１１に記載のデバイス。
【請求項１５】
前記線形分解は、特異値分解を備える、
請求項１４に記載のデバイス。
【請求項１６】
係数の０ではないセットは、前記音場の第１の明瞭な成分を表す第１のベクトルの係数の第１の０ではないセットであり、前記１つまたは複数のプロセッサはさらに、
前記音場の第２の明瞭な成分を表す第２のベクトルの係数の第２の０ではないセットを取得すること、前記第２のベクトルは、前記音場を記述する第２の複数の球面調和係数から線形的に分解されている、と、
第２の複数の構成モードのうちの１つに従って前記第２のベクトルの係数の前記第２の０ではないセットを抽出する際に用いる、前記第２の複数の構成モードのうちの前記１つを取得すること、前記第２の複数の構成モードのうちの前記１つは、係数の前記第２の０ではないセットが前記係数のうちで、前記第２の複数の球面調和係数の１つまたは複数が対応する基底関数の次数よりも大きい次数に対応するものを含むことを示す、と、
前記第２の複数の構成モードのうちの前記取得された１つに基づいて、前記第２のベクトルの前記係数の前記第２の０ではないセットを抽出することと
を行うように構成される、請求項１１に記載のデバイス。
【請求項１７】
係数の前記０ではないセットは、前記音場の第１の明瞭な成分を表す第１のベクトルの係数の第１の０ではないセットであり、前記１つまたは複数のプロセッサはさらに、
前記音場の第２の明瞭な成分を表す第２のベクトルの係数の第２の０ではないセットを取得すること、前記第２のベクトルは、前記音場を記述する第２の複数の球面調和係数から線形的に分解されている、と、
第２の複数の構成モードのうちの１つに従って前記第２のベクトルの係数の前記第２の０ではないセットを抽出する際に用いる、前記第２の複数の構成モードのうちの前記１つを取得すること、前記第２の複数の構成モードのうちの前記１つは、係数の前記第２の０ではないセットが前記係数のうちで、前記第２の複数の球面調和係数の１つまたは複数が対応する基底関数の次数よりも大きい次数に対応するものを含み、前記第２の複数の球面調和係数の前記１つまたは複数が対応する前記基底関数の前記次数よりも大きい次数に対応する前記係数の少なくとも１つを含まないことを示す、と、
前記第２の複数の構成モードのうちの前記取得された１つに基づいて、前記第２のベクトルの前記係数の前記第２の０ではないセットを抽出することと
を行うように構成される、請求項１１に記載のデバイス。
【請求項１８】
係数の前記０ではないセットは、前記音場の第１の明瞭な成分を表す第１のベクトルの係数の第１の０ではないセットであり、前記１つまたは複数のプロセッサはさらに、
前記音場の第２の明瞭な成分を表す第２のベクトルの係数の第２の０ではないセットを取得すること、前記第２のベクトルは、前記音場を記述する第２の複数の球面調和係数から線形的に分解されている、と、
第２の複数の構成モードのうちの１つに従って前記第２のベクトルの係数の前記第２の０ではないセットを抽出する際に用いる、前記第２の複数の構成モードのうちの前記１つを取得すること、前記第２の複数の構成モードの前記１つは、係数の前記第２の０ではないセットが前記係数の少なくとも１つを除き、前記係数のすべてを含むことを示す、と、
前記第２の複数の構成モードのうちの前記取得された１つに基づいて、前記第２のベクトルの前記係数の前記第２の０ではないセットを抽出することと
を行うように構成される、請求項１１に記載のデバイス。
【請求項１９】
前記１つまたは複数のプロセッサは、ビットストリームにおいてシグナリングされる値に基づいて前記複数の構成モードの前記１つを決定するように構成される、
請求項１１に記載のデバイス。
【請求項２０】
１つまたは複数のラウドスピーカーをさらに備え、前記１つまたは複数のプロセッサは、
前記複数の球面調和係数の前記再合成されたバージョンに基づいて、１つまたは複数のラウドスピーカーフィードをレンダリングすることと、
前記１つまたは複数のラウドスピーカーを駆動するために、前記１つまたは複数のラウドスピーカーフィードを出力することと
を行うようにさらに構成される、請求項１３に記載のデバイス。
【請求項２１】
音場の明瞭な成分を表すベクトルの係数の０ではないセットを取得するための手段、前記ベクトルは、前記音場を記述する複数の球面調和係数から線形的に分解されている、と、
係数の第１の０ではないセットを記憶するための手段と、
複数の構成モードのうちの１つに従って前記ベクトルの係数の前記０ではないセットを抽出する際に用いる、前記複数の構成モードのうちの前記１つを取得するための手段、前記複数の構成モードのうちの前記１つは、前記係数の前記０ではないセットが前記係数のすべてを含むことを示す、と、
前記複数の構成モードのうちの前記取得された１つに基づいて、前記ベクトルの前記係数の前記０ではないセットを抽出するための手段と
を備える、デバイス。
【請求項２２】
実行されると、１つまたは複数のプロセッサに、
音場の明瞭な成分を表すベクトルの係数の０ではないセットを決定すること、前記ベクトルは、前記音場を記述する複数の球面調和係数から線形的に分解されている、と、
複数の構成モードのうちの１つに従って前記ベクトルの係数の前記０ではないセットを抽出する際に用いる、前記複数の構成モードのうちの前記１つを取得すること、前記複数の構成モードのうちの前記１つは、前記係数の前記０ではないセットが前記係数のすべてを含むことを示す、と、
前記複数の構成モードのうちの前記取得された１つに基づいて、前記ベクトルの前記係数の前記０ではないセットを抽出することと
を行わせる命令を記憶した、非一時的コンピュータ可読記憶媒体。